(57)【要約】【課題】使用者の任意の位置にシャワーを噴出させることができる利便性が向上したシャワー装置を提供する。【解決手段】前面に多数の射水口２，２，２を備えた長尺のシャワー本体１を、壁Ｗに垂直な軸５を中心として回動可能に設け、この軸５はシャワー本体１の上下方向中心よりも上部部位に設けられている。【選択図】図４
2007282813.tif 000002
【特許請求の範囲】
【請求項１】
前面に多数の射水口を備えた長尺のシャワー本体を、壁に垂直な軸を中心として回動可能に設けたことを特徴とするシャワー装置。
【請求項２】
前記シャワー本体の前面が長手方向に対して弓なりに凹んで形成されていることを特徴とする請求項１に記載のシャワー装置。
【請求項３】
前記軸が、シャワー本体の上下方向中心よりも上部部位に設けられていることを特徴とする請求項１または請求項２に記載のシャワー装置。
【請求項４】
前記軸の内部を、シャワー本体への給水路としていることを特徴とする請求項１または請求項２または請求項３に記載のシャワー装置。
【発明の詳細な説明】
【技術分野】
【０００１】
本発明は、シャワー装置に関するものである。
【背景技術】
【０００２】
従来、特許文献１に開示されているように、浴室，シャワーブース等の室内に立設させた手摺部を水平面内で回転させて、手摺部からシャワー水を噴出させることができるように構成したものが存在する。
【特許文献１】特開２００１−１０４２０３号公報
【発明の開示】
【発明が解決しようとする課題】
【０００３】
上記特許文献１に開示されているような手摺部に設けられたシャワー装置では、手摺部を回転させてシャワー水を噴出させる際に、正面に立った使用者が、縦方向に一直線状にしかシャワーを浴びることができず、使用者が身体を動かさないと好みの位置にシャワー水が当たらないという問題点があった。
【課題を解決するための手段】
【０００４】
本発明は上記従来の問題点に鑑み案出したものであって、使用者の任意の位置にシャワーを噴出させることができるシャワー装置を提供するものであり、その請求項１は、前面に多数の射水口を備えた長尺のシャワー本体を、壁に垂直な軸を中心として回動可能に設けたことである。
【０００５】
また、請求項２は、前記シャワー本体の前面が長手方向に対して弓なりに凹んで形成されていることである。
【０００６】
また、請求項３は、前記軸が、シャワー本体の上下方向中心よりも上部部位に設けられていることである。
【０００７】
また、請求項４は、前記軸の内部を、シャワー本体への給水路としていることである。
【発明の効果】
【０００８】
本発明のシャワー装置は、前面に多数の射水口を備えた長尺のシャワー本体を、壁に垂直な軸を中心として回動可能に設けたことにより、軸を中心としてシャワー本体を回転させて使用者の好みの任意の位置にシャワーを噴出させることができるものとなる。
【０００９】
また、前記シャワー本体の前面が長手方向に対して弓なりに凹んで形成されていることにより、シャワー本体が凹状であるため、使用者を包み込むようにシャワー水を噴出させることができるものとなる。
【００１０】
また、前記軸が、シャワー本体の上下方向中心よりも上部部位に設けられていることにより、シャワー本体の重心が軸よりも下方となって、シャワー本体を安定化させることができ、シャワー水を噴出させる時の振動等により勝手にシャワー本体が回転してしまうようなことを良好に防ぐことができるものとなる。
【００１１】
また、前記軸の内部を、シャワー本体への給水路としていることにより、シャワー本体を軸を介して壁に取り付ける工事と給水工事を同時に行なうことができ、施工性が向上するものとなり、また、給水管などの部材は軸内に隠蔽されて露出しないため見栄えも良く、清掃性も向上するものとなる。
【実施例】
【００１２】
以下、本発明の実施例を図面に基づいて説明する。
図１は、シャワー本体の斜視構成図であり、図２は、シャワー本体の正面図であり、また図３は、シャワー本体の側面図である。
【００１３】
シャワー本体１は、前面側の射出面１ａが上下長手方向に対して弓なり凹状をなし、上下方向寸法ａが８７０ｍｍの長尺に形成されており、また幅寸法ｂが７２ｍｍに設定されて、側面の右側には流量調整ボタン３が、また左側には温度調節ボタン４が設けられている。
前面側の射出面１ａは、凹凸のないフラットな面形状となっており、この射出面１ａには多数の射水口２，２，２が形成されている。
【００１４】
また、このシャワー本体１の裏面１ｂ側の、上下方向の中心よりも上部部位に軸５が設けられており、この軸５を中心としてシャワー本体１は、図４に示すように、シャワー室Ｓの壁Ｗに回動可能に設置されるものである。
【００１５】
なお、シャワー本体１の射水口２は、シャワー本体１の上部部位では、図５に示すように下向きに開口させて、下向きにシャワー水を噴出できるように構成し、また、上下方向中央部では、図６のように水平方向に射水口２を開口させて、水平方向にシャワー水を噴出させることができるように構成し、シャワー本体１の下部部位では、図７のように射水口２を上向きに開口させて、上向きにシャワー水を噴出させることができるように構成しておくことができる。
なお、上下方向の全ての部位で水平方向に射水口２を開口させて、水平方向にシャワー水が噴出されるように構成しても良い。
【００１６】
このようなシャワー本体１を使用する際に、図８に示すように、シャワー本体１を立設状態で使用する場合には、使用者６の身体の中心に縦方向にシャワー水を噴出させることができ、また図９のように、シャワー本体１を回転させることにより、対角線状に使用者６にシャワー水を噴出させることができ、使用者はシャワー本体１を任意の位置に回動させて、任意の位置にシャワー水を浴びることができるものである。
【００１７】
なお、上下方向に凹状に射出面１ａが形成されているため、シャワー水は使用者を包み込むように使用者に向けて噴出され、良好なシャワー状態が得られるものである。
また、軸５はシャワー本体１の上下方向中心よりも上部部位に設けられているため、シャワー本体１の重心が下方で安定したものとなり、シャワー噴出時の振動等により勝手に回動することがなく、また軸５は上部部位に設けられているため、軸５の上方と下方ではシャワー本体１の回転角の移動量に差が生じ、使用者６の首や肩の部位ではシャワー本体１の移動量を少なくし、使用者６の腰やお尻の部位ではシャワー本体１の移動量を大きくすることができ、利便性が向上するものとなる。
【００１８】
なお、本例では、射出面１ａは凹凸のないフラット面となっているため、汚れが溜まり難く、掃除がし易いものとなる。
具体的にはシャワー本体１は、図１０の右側からの透視図、及び図１１の左側からの透視図で示すような水路構成となっており、シャワー本体１内には、上部に上段射水板２ａが、また中段には中段射水板２ｂが、また下段には下段射水板２ｃが内装されており、この各射水板２ａ，２ｂ，２ｃの前面に多数の射水口２，２，２が開口されたものとなっている。
各射水板２ａ，２ｂ，２ｃは、薄い箱板状に形成されており、その裏側にそれぞれ、分配部９から分岐された分配管が接続されている。即ち、上段射水板２ａの裏側には、分配管１０ａが分配部９から接続され、また中段射水板２ｂの裏側には、分配管１０ｂが分配部９から接続され、また下段射水板２ｃの裏側には、分配管１０ｃが分配部９から接続されている。
【００１９】
この分配部９には、軸５内に通された給水管１２が接続されており、給水管１２は、ミキシングバルブ７に接続されるものである。
このミキシングバルブ７には、水が供給される給水管８ａと、給湯器から湯が供給される給湯管８ｂが接続されており、ミキシングバルブ７内で適温に混合され、軸５内の給水管１２を通って分配部９に温水が入り、それぞれ分配管１０ａ，１０ｂ，１０ｃを通って温水が上段射水板２ａ，中段射水板２ｂ，下段射水板２ｃに供給されるように構成されている。即ち、軸５の内部が、シャワー本体１への給水路となっている。
【００２０】
なお、シャワー本体１の側面に設けられている流量調整ボタン３及び温度調節ボタン４に電気配線１１が接続されており、この電気配線１１は軸５内を通されてミキシングバルブ７側に接続されるものである。
なお、流量調整ボタン３は、図１２の正面図に示すようにダイヤル式で構成され、回転させることで徐々に射水口２からの水量を増大させてゆくことができるものであり、また更には、押すことによりオンオフ操作ができるように構成されている場合もある。また、スライドレバー式であっても良い。
また、一方の温度調節ボタン４は図１３の正面図に示すようにスライドレバー式で、上下方向にスライドさせることにより温度調節ができるように構成されているが、この温度調節ボタン４はダイヤル式のものであっても良い。
【００２１】
なお、本例では、多数の射水口２は、各射水板２ａ，２ｂ，２ｃに孔状に開口されたものを例示しているが、多数のノズルで構成しても良く、ノズルの場合は、各射水板２ａ，２ｂ，２ｃの表側に多数のノズルが設けられて構成され、射水の角度が使用者の好みに合わせて自由に調整できるものである。
【００２２】
なお、図１２には、ミキシングバルブ７と軸５の接続構造の分解図を示しており、シャワー本体１の裏面１ｂから略水平に突出された円筒状の軸５内には、給水管１２と電気配線１１が設けられており、軸５の外周には外側へ鍔状に突出してフランジ部５ａが形成されている。この軸５の先端外周には、オーリング１３ｂが嵌め込まれており、また給水管１２の先端にもオーリング１３ａが嵌め込まれている。
一方、ミキシングバルブ７の前面には、一体状に前方側へ突出して円筒状の軸受け部７ａが形成されており、この軸受け部７ａの先端には、外側へ鍔状に突出してフランジ部７ｂが一体形成されている。また、軸受け部７ａの中央部には、水路７ｃが開口されている。
【００２３】
このミキシングバルブ７は、シャワー室Ｓの壁Ｗ内に埋設されて、軸受け部７ａのみが壁Ｗから突出状に設置される場合や、壁Ｗにミキシングバルブ７が露出状に固定される場合もあり、図１４の断面構成図で示すように、壁Ｗに固定されたミキシングバルブ７の水路７ｃ内に給水管１２をオーリング１３ａを介在させて水密状に嵌め込み、軸５のオーリング１３ｂを軸受け部７ａの内周面に水密状に嵌め込み、軸受け部７ａのフランジ部７ｂと軸５のフランジ部５ａを当接させて、この状態で外側から、左右両側に縦方向の嵌合溝１４ａ，１４ａを有してバネ力が付与されたクリップリング１４を嵌め込んで、クリップリング１４の嵌合溝１４ａ内に、フランジ部５ａ，７ｂを嵌合させることにより、ミキシングバルブ７側の軸受け部７ａにシャワー本体１側の軸５を回動可能に連結することができるものであり、その連結状態の外観図は図１３に示す。
なお、シャワー本体１を取り外す際には、クリップリング１４を引き抜くことにより、良好にミキシングバルブ７からシャワー本体１を取り外すことができるものである。
【００２４】
なお、図１５の分解図で、また図１６の連結状態図で、また図１７の断面拡大構成図で示すものは、電気配線１１を軸５の外側に配線した場合の構成例であり、この場合は、軸５の内周に太い給水管１２を突出状に設けておき、給水管１２の外周には、オーリング１３ｂを嵌合させておき、ミキシングバルブ７側の軸受け部７ａの内周にオーリング１３ｂを介在させて水密状に給水管１２を嵌合させることができ、この状態で軸５のフランジ部５ａが軸受け部７ａのフランジ部７ｂに当接し、この状態でクリップリング１４を嵌め込んで連結することができるものであり、電気配線１１は、その先端のコネクタ１１ａをミキシングバルブ７側のコネクタに接続して配線できるものである。
なお、電線の捩れを防止するため軸５には回転抑制機構を設けても良い。
【図面の簡単な説明】
【００２５】
【図１】シャワー本体の斜視構成図である。
【図２】シャワー本体の正面構成図である。
【図３】シャワー本体の側面構成図である。
【図４】シャワー本体をシャワー室の壁面に設置した状態の斜視構成図である。
【図５】シャワー本体の上部の射水口の概略縦断面構成図である。
【図６】シャワー本体の中央付近の射水口の概略縦断面構成図である。
【図７】シャワー本体の下部の射水口の概略縦断面構成図である。
【図８】シャワー本体を真直ぐ立てて使用している状態の作用説明図である。
【図９】シャワー本体を回動させて対角線状にシャワーを噴出させて使用している状態の作用説明図である。
【図１０】シャワー本体とミキシングバルブとの水回路を示す透視斜視図であり、右側からの透視斜視図である。
【図１１】シャワー本体とミキシングバルブとの水回路を示す透視斜視図であり、左側からの透視斜視図である。
【図１２】流量調整ボタンの正面図である。
【図１３】温度調節ボタンの正面図である。
【図１４】ミキシングバルブとシャワー本体側の軸との分解斜視図である。
【図１５】ミキシングバルブとシャワー本体の軸との連結状態の外観図である。
【図１６】連結状態の断面拡大構成図である。
【図１７】電気配線を外側に設けた場合のミキシングバルブとシャワー本体側の軸との分解斜視図である。
【図１８】連結状態の外観斜視図である。
【図１９】図１８の縦断面拡大構成図である。
【符号の説明】
【００２６】
１  シャワー本体
１ａ  射出面
１ｂ  裏面
２  射水口
２ａ  上段射水板
２ｂ  中段射水板
２ｃ  下段射水板
３  流量調整ボタン
４  温度調節ボタン
５  軸
５ａ  フランジ部
６  使用者
７  ミキシングバルブ
７ａ  軸受け部
７ｂ  フランジ部
７ｃ  水路
８ａ  給水管
８ｂ  給湯管
９  分配部
１０ａ，１０ｂ，１０ｃ  分配管
１１  電気配線
１２  給水管
１３ａ，１３ｂ  オーリング
１４  クリップリング
１４ａ  嵌合溝
Ｓ  シャワー室
Ｗ  壁
【図１】
2007282813.tif 000003
【図２】
2007282813.tif 000004
【図３】
2007282813.tif 000005
【図４】
2007282813.tif 000006
【図５】
2007282813.tif 000007
【図６】
2007282813.tif 000008
【図７】
2007282813.tif 000009
【図８】
2007282813.tif 000010
【図９】
2007282813.tif 000011
【図１０】
2007282813.tif 000012
【図１１】
2007282813.tif 000013
【図１２】
2007282813.tif 000014
【図１３】
2007282813.tif 000015
【図１４】
2007282813.tif 000016
【図１５】
2007282813.tif 000017
【図１６】
2007282813.tif 000018
【図１７】
2007282813.tif 000019
【図１８】
2007282813.tif 000020
【図１９】
2007282813.tif 000021